(57)【要約】【課題】インサート成形工程の型締め動作において、型締め動作と同時にインサートパーツのころがりが解消されるように形状を工夫し、ころがりを解消するための工程をインサート成形工程とは別に設けることなしに、インサート成形後にターミナルの曲げ加工を所望通りに行うことを可能にするインサート成形用金型を得ることを目的とする。【解決手段】下部金型２及び上部金型５により構成され、本体成形材料が充填されるキャビティ、及びターミナルが挿入されるインサートパーツ挿入穴７が、下部金型２及び上部金型５の型締めにより形成されるインサート成形用金型１において、下部金型２及び上部金型５は、インサートパーツ挿入穴７に挿入されたターミナルを、型締め動作によってインサートパーツ挿入穴７の内形形状に合致する形状に塑性変形させるように構成されている。【選択図】図１
2011020295.tif 000002
【特許請求の範囲】
【請求項１】
複数の分割金型により構成され、本体成形材料が充填されるキャビティ、及びインサートパーツが挿入されるインサートパーツ挿入穴が、上記複数の分割金型の型締めにより形成されるインサート成形用金型であって、
上記複数の分割金型は、上記インサートパーツ挿入穴に挿入された上記インサートパーツを、上記型締め動作によって上記インサートパーツ挿入穴の内形形状に合致する形状に塑性変形させるように構成されていることを特徴とするインサート成形用金型。
【請求項２】
上記本体成形材料は樹脂であることを特徴とする請求項１記載のインサート成形用金型。
【請求項３】
上記インサートパーツは金属であることと特徴とする請求項２記載のインサート成形用金型。
【請求項４】
上記請求項１乃至請求項３のいずれか１項に記載のインサート成形用金型を用いた複合部品の製造方法であって、
上記型締めを実施するのに先立って、上記インサートパーツ挿入穴を形成する上記複数の分割金型の型締め方向に相対する壁面間に上記インサートパーツを配置する工程と、
上記型締めを実施して、上記インサートパーツを上記パーツ挿入穴の内形形状に合致するように塑性変形させる工程と、
上記キャビティに上記本体成形材料を充填して固化する工程と、
を備えることを特徴とする複合部品の製造方法。
【発明の詳細な説明】
【技術分野】
【０００１】
この発明は、例えば、プレス加工によって形成したインサートパーツをインサート成形により樹脂などの本体成形材料と一体化させて複合部品を製造するのに用いられるインサート成形用金型及びそれを用いた複合部品の製造方法に関するものである。
【背景技術】
【０００２】
金属からなるインサートパーツと樹脂とをインサート成形により一体化させた複合部品を作る場合、インサートパーツは、プレス加工によって製造されたものがしばしば用いられる。
例えば、インサートパーツが電気部品の金属端子（ターミナル）などの場合、インサートパーツは、帯状の金属板を順送りプレス加工により打ち抜いて作製されるのが一般的である（例えば、特許文献１参照）。
【０００３】
順送りプレス加工は、所定形状に形成された上部プレス用金型と下部プレス用金型との間に金属板を挟み込み、インサートパーツを構成するパーツ構成領域を残し、不要部をスクラップとする方法が一般的であるが、この方法として、片面打ち抜きが多用されている。
【０００４】
片面打ち抜きの順送りプレス加工によるターミナルの作製は、例えば、搬送機構が金属板を間欠的に順送りし、プレス機構が、順次送られてくる打ち抜き領域の両側に隣接する金属板の部位をその厚み方向から押さえて打ち抜き領域を一つずつ打ち抜くことで行われる。
【先行技術文献】
【特許文献】
【０００５】
【特許文献１】特開２００２−３５８３８号公報
【発明の概要】
【発明が解決しようとする課題】
【０００６】
上記にように順送りプレス加工を片面打ち抜きで実施してターミナルを作製する場合、プレス機構により今回打ち抜かれる打ち抜き領域より順送り方向の前方の金属板の部位は、既に打ち抜き領域が打ち抜かれている。従って、打ち抜き領域を打ち抜く際、打ち抜き領域の順送り方向前方に隣接する金属板の押さえ幅は、パーツ構成領域の幅より小さくなる。
【０００７】
例えば、ターミナルの断面は矩形形状であり、パーツ構成領域の幅が金属板の厚さに対して十分に広くないと、プレス加工を行うときに、打ち抜き領域の順送り方向の前方側の押さえが不十分となるので、ターミナルの周囲形状不良（ころがり）が発生する場合がある。
【０００８】
そして、インサート成形用金型には、ターミナルの所定の形状を考慮した樹脂シール部が、樹脂がインサート成形用金型から漏れださないように設けられているものの、ころがりが発生したままのターミナルをインサートパーツとして用いると、樹脂が、樹脂シール部とターミナルとの間の隙間から漏れだしてしまう場合がある。また、このような樹脂漏れを防ぐには、インサート成形用金型のターミナル挿入溝を、ターミナルのころがりを考慮し、ターミナルとの隙間が極力狭くなるようにターミナルを挿入可能に構成する必要がある。しかし、ターミナルの形状が歪んでいるので、ターミナルをターミナル挿入溝に挿入する際の作業性が低下し、また、傷がターミナルにつく恐れがある。
【０００９】
また、ころがりが発生したままのターミナルが、複合品としてのオス形コネクタに用いられる場合、対応するメス形コネクタの孔へのターミナルの挿入性が悪化する。
さらに、ターミナルを曲げ加工する場合には以下の問題がある。
ターミナルの曲げ加工は、ターミナルの外面のいずれかを基準面として、基準面に対して所定方向に力を加えて行われる。従って、基準面が歪んでいると、ターミナルの曲げ加工が所望通りに行えなくなる場合がある。
【００１０】
そして、従来は発生したころがりに対し、インサート成形工程前に、長時間を要する削り加工や、所定の形状のプレス用金型を用意し、プレスによりターミナルを所望の形状に塑性変形させる加工によりころがりを解消していたので、ターミナルを用いた複合品の製造コストが増大してしまっていた。
【００１１】
この発明は上記の問題を解決するためになされたものであり、インサート成形工程の型締め動作において、型締め動作と同時にインサートパーツのころがりが解消されるように形状を工夫し、ころがりを解消するための工程をインサート成形工程とは別に設けることなしに、インサート成形時の樹脂の漏れを防止し、さらに、インサート成形後のターミナルの曲げ加工を、所望通りに行うことを可能にするインサート成形用金型及びそれを用いた複合部品の製造方法を得ることを目的とする。
【課題を解決するための手段】
【００１２】
この発明は、複数の分割金型により構成され、本体成形材料が充填されるキャビティ、及びインサートパーツが挿入されるインサートパーツ挿入穴が、複数の分割金型の型締めにより形成されるインサート成形用金型であって、複数の分割金型は、インサートパーツ挿入穴に挿入されたインサートパーツを、型締め動作によってインサートパーツ挿入穴の内形形状に合致する形状に塑性変形させるように構成されている。
【発明の効果】
【００１３】
この発明のインサート成形用金型によれば、複数の分割金型の型締め動作によってインサートパーツのころがりを解消することができるので、インサート成形工程とは別にインサートパーツのころがりを解消する工程を実施することを省略できる。これにより、インサート成形により製造される複合部品の製造コストを削減でき、また、インサート成形時の樹脂の漏れを防止し、さらに、インサート成形後のインサートパーツの曲げ加工を、所望通りに行うことが可能となる。
【図面の簡単な説明】
【００１４】
【図１】この発明の一実施の形態に係るインサート成形用金型の斜視図である。
【図２】この発明の一実施の形態に係るインサート用金型の下部金型を第１圧接面からみた平面図である。
【図３】この発明の一実施の形態に係るインサート用金型の上部金型を第２圧接面からみた平面図である。
【図４】この発明の一実施の形態に係るインサート成形用金型を有するインサート成形システムの構成図である。
【図５】この発明の一実施の形態に係るインサート成形用金型を有するインサート成形システムによりインサート成形を実施するときの型締め動作について説明する断面図である。
【図６】この発明の一実施の形態に係るインサート成形用金型を有するインサート成形システムによりインサート成形を実施するときの型締め動作について説明する断面図である。
【図７】この発明の一実施の形態に係るインサート成形用金型を有するインサート成形システムによりインサート成形を実施するときの型締め動作について説明する断面図である。
【図８】この発明の一実施の形態に係るインサート成形用金型を有するインサート成形システムによって製造された複合品の斜視図である。
【図９】この発明の一実施の形態に係るインサート成形用金型を有するインサート成形システムによって製造された複合品のターミナルの曲げ加工について説明する図である。
【図１０】インサート成形に用いられるターミナル製造用に用いられる金属板、及び金属板をプレス加工してターミナルを製造するプレス成形機の構成図である。
【図１１】片面打ち抜きの順送りプレス加工を行うプレス成形機によりターミナルを製造する方法を説明する要部断面図である。
【図１２】図１１のＸＩＩ−ＸＩＩ矢視断面図である。
【図１３】プレス成形機で金属板を加工して形成した各ターミナルの断面図である。
【発明を実施するための形態】
【００１５】
まず、本願のインサート成形用金型を用いたインサート成形を説明するのに先立って、本願の特徴を明確にするために、インサート成形に用いられるインサートパーツとしてのターミナルを、金属板に対して前述の順送りプレス加工を実施して製造する方法の詳細を、図面を参照しつつ説明する。例えば、断面矩形のターミナルを所望の形状として製造するものとする。
【００１６】
図１０はインサート成形に用いられるターミナル製造用に用いられる金属板、及び金属板をプレス加工してターミナルを製造するプレス成形機の構成図、図１１は片面打ち抜きの順送りプレス加工を行うプレス成形機によりターミナルを製造する方法を説明する要部断面図、図１２は図１１のＸＩＩ−ＸＩＩ矢視断面図、図１３はプレス成形機で金属板を加工して形成した各ターミナルの断面図である。
【００１７】
まず、プレス加工される金属板について説明する。
図１０において、金属板１０は、銅などの金属を材料とする帯状に形成され、予めパイロット穴１１が、金属板１０の一方の側辺の近傍に、長手方向に所定の間隔で金属板１０の厚み方向に穿設して形成されている。
ここで、図１０の一点鎖線で分離されている領域のうち、パイロット穴１１が含まれる側の領域が、プレス加工後にターミナルを構成するターミナル形成領域１０Ａであり、残りの領域が、後述のプレス成形機２０により打ち抜かれる打ち抜き領域１０Ｂとなる。
【００１８】
プレス成形機２０は、帯状の金属板１０を順送り方向に隣接するターミナル形成領域１０Ａの間隔ずつ間欠的に移動させる搬送機構（図示せず）と、以下に説明するプレス機構２０Ａと、を有する。
なお、搬送機構は、表裏両面を水平に配置した金属板１０を順送りするものとする。
【００１９】
図１１及び図１２において、プレス機構２０Ａは、金属板１０が載置されるダイ側パーツ２１、所定の型形状に構成され、ダイ側パーツ２１に載置された金属板１０を上方から金属板１０の厚み方向にプレスし、所望の形状を残して金属板１０を打ち抜くパンチ側パーツ２３、及びパンチ側パーツ２３に打ち抜かれる金属板１０の領域の順送り方向の両側のそれぞれをダイ側パーツ２１の上方から押さえつける２つの押さえ部２２を有する。
【００２０】
２つの押さえ部２２は、ダイ側パーツ２１に対して上下方向に相対して配置され、ダイ側パーツ２１に接離可能に構成されている。また、押さえ部２２は、パンチ側パーツ２３との間に僅かな隙間をあけて配置されている。
【００２１】
また、パンチ側パーツ２３と相対するダイ側パーツ２１の部位には逃げ穴２４が形成されている。これにより、パンチ側パーツ２３は、自身と相対するダイ側パーツ２１上に載置された金属板１０の部位を打ち抜き可能になっている。
【００２２】
以下、プレス機構２０Ａによる金属板１０の打ち抜き動作の詳細について説明する。
初期状態として、押さえ部２２及びパンチ側パーツ２３が、ダイ側パーツ２１から離れて配置されているものとする。金属板１０は、ダイ側パーツ２１上に、順次間欠的に搬送されるが、搬送が一時停止されたときに、プレス機構２０Ａによる金属板１０の打ち抜き動作が行われる。なお、プレス機構２０Ａによりプレス加工が行われる前の工程で、金属板１０の他方の側辺側は、ターミナル形成領域１０Ａの先端部の形状に沿って打ち抜かれている。
【００２３】
そして、金属板１０の搬送が一時停止されたときには、打ち抜き領域１０Ｂがパンチ側パーツ２３と一対一で相対するように、金属板１０がダイ側パーツ２１上に載置される。
【００２４】
次いで、押さえ部２２は、パンチ側パーツ２３と相対する打ち抜き領域１０Ｂの両側に隣接する金属板１０をその厚み方向から押さえるように下方に移動する。このとき、今回打ち抜かれる打ち抜き領域１０Ｂの順送り方向の後方では、打ち抜かれる前の打ち抜き領域１０Ｂを含む金属板１０の幅広の部位が、押さえ部２２により押さえられている。一方、今回打ち抜かれる打ち抜き領域１０Ｂの順送り方向の前方では、打ち抜き領域１０Ｂが既に打ち抜かれているので、今回打ち抜かれる打ち抜き領域１０Ｂの順送り方向の前方に隣接する金属板１０の押さえ部２２による押さえ幅は、ターミナル形成領域１０Ａの幅より狭くなっている。
【００２５】
次いで、パンチ側パーツ２３は下方に移動して、打ち抜き領域１０Ｂを打ち抜いてターミナル形成領域１０Ａから分離する。なお、打ち抜いた金属板片は、逃げ穴２４に落下する。次いで、パンチ側パーツ２３及び押さえ部２２は、上方に引き上げられて金属板１０から離反する。
以下、同様の手順により、順次搬送される金属板１０の打ち抜き領域１０Ｂが打ち抜かれる。
【００２６】
プレス機構２０Ａを通過して順送りされる金属板１０の部位は、ターミナル形成領域１０Ａを残して打ち抜かれた形状となり、おおよそ矩形形状の棒体からなる複数のターミナル２５で構成される。以下、プレス加工により、ターミナル２５で構成された金属板１０の部位を加工金属板部１２とする。
【００２７】
ここで、上述したように、打ち抜き領域１０Ｂを打ち抜く際、打ち抜き領域１０Ｂの順送り方向の前方に隣接する金属板１０の押さえ部２２による押さえ幅は、ターミナル形成領域１０Ａの幅より小さくなる。このため、ターミナル形成領域１０Ａの幅が金属板１０の厚さに対して十分に広くない場合には、打ち抜き領域１０Ｂの順送り方向の前方側の押さえが不十分となる。そして、ころがりがプレス加工により作製されるターミナル２５に発生し、ターミナル２５の断面形状は、図１３に示されるように、一点鎖線で示した断面矩形の所望形状に対して歪んだものとなる。
【００２８】
なお、ターミナル形成領域の順送り方向の両側を同時に打ち抜く両面打ち抜きの順送りプレス加工によりターミナルを作製することで、ころがりの発生を極力抑制できる。しかし、この場合、ターミナル形成領域の間隔を広くとる必要があり、その結果、使用されない金属板の打ち抜き量が増大するので、ターミナルの製造コストが増大する。また、ターミナルの作製方法を片面打ち抜きの順送りプレス加工から両面打ち抜きの順送りプレス加工に変更してターミナルを製造する場合には、新たにに両面打ち抜きの順送りプレス加工用の金型を用意する必要があり、また、プレス機構の大幅改造も必要となるので、多大なコストがかかる。
【００２９】
次いで、本願のインサート成形用金型について説明する。
図１はこの発明の一実施の形態に係るインサート成形用金型の斜視図、図２はこの発明の一実施の形態に係るインサート用金型の下部金型を第１圧接面からみた平面図、図３はこの発明の一実施の形態に係るインサート用金型の上部金型を圧接面からみた平面図、図４はこの発明の一実施の形態に係るインサート成形用金型を有するインサート成形システムの構成図、図５はこの発明の一実施の形態に係るインサート成形用金型を有するインサート成形システムによりインサート成形を実施するときの型締め動作について説明する断面図であり、型締め動作前にターミナルが下部金型のインサートパーツ挿入溝内に配置された状態を示している。図６はこの発明の一実施の形態に係るインサート成形用金型を有するインサート成形システムによりインサート成形を実施するときの型締め動作について説明する断面図であり、上部金型が下部金型に向かってターミナルをプレスしつつ接近しているときの状態を示している。図７はこの発明の一実施の形態に係るインサート成形用金型を有するインサート成形システムによりインサート成形を実施するときの型締め動作について説明する断面図であり、圧接面同士を密接させて上部金型及び下部金型が押し付けられた状態を示している。図８はこの発明の一実施の形態に係るインサート成形用金型を有するインサート成形システムによって製造された複合品の斜視図、図９はこの発明の一実施の形態に係るインサート成形用金型を有するインサート成形システムによって製造された複合品のターミナルの曲げ加工について説明する図である。
【００３０】
図１〜図３において、インサート成形用金型１は、第１分割金型としての下部金型２と、第２分割金型としての上部金型５と、を備えている。
【００３１】
下部金型２は、一面にインサートパーツ挿入溝２ａ、及び第１樹脂充填凹部２ｃが開口するように形成された所定の長さのブロック体に構成されている。
【００３２】
そして、例えば２つの第１樹脂充填凹部２ｃが、互いに離間して下部金型２の一面に開口するように形成されている。
また、インサートパーツ挿入溝２ａが、第１樹脂充填凹部２ｃのそれぞれと下部金型２の一端面とを連通して下部金型２に形成されている。このとき、２つのインサートパーツ挿入溝２ａは、前述の加工金属板部に連設されているターミナルの間隔に一致する間隔をあけ、互いに平行に下部金型２に形成されている。また、インサートパーツ挿入溝２ａの深さは、ターミナル２５の厚さより数％〜数十％程度浅く形成され、インサートパーツ挿入溝２ａの幅はターミナル２５の幅より数％〜数十％程度広く形成されている。以下、インサートパーツ挿入溝２ａが開口する下部金型２の一面を第１圧接面２ｂとする。また、第１樹脂充填凹部２ｃと下部金型２の外部とを連通する充填用穴２ｄが、下部金型２に形成されている。
【００３３】
上部金型５は、その一面に第２樹脂充填凹部５ａが開口するように形成されたブロック体に形成されている。そして、第２樹脂充填凹部５ａが開口する一面が第２圧接面５ｂを構成し、第２圧接面５ｂは、下部金型２の第１圧接面２ｂの外形と同一サイズで同一形状に構成されている。
第２樹脂充填凹部５ａは、上部金型５の第１圧接面２ｂに第２圧接面５ｂを相対させたときに、第１樹脂充填凹部２ｃと相対するように形成されている。
【００３４】
そして、第１圧接面２ｂ及び２圧接面５ｂが互いに押しあうように下部金型２及び上部金型５を型締めしたときに、キャビティ（図示せず）が第１樹脂充填凹部２ｃ及び第２樹脂充填凹部５ａに囲まれるスペースにより形成され、インサートパーツ挿入穴７が、図１に示されるように、インサートパーツ挿入溝２ａとインサートパーツと相対する第２圧接面５ｂに囲まれるスペースにより形成される。このとき、インサートパーツ挿入穴７の長手方向に垂直な外形形状が、ターミナル２５が実際に使用されるときの所望の断面形状になるように下部金型２のインサートパーツ挿入溝２ａの形状を設定している。
【００３５】
次いで、ターミナル２５をインサートパーツとし、インサート成形用金型を用いたインサート成形システムによりインサート成形を行って複合品を製造する方法について説明する。
【００３６】
まず、インサート成形システムの構成について図４を参照しつつ説明する。
インサート成形システム３０は、下部金型２及び上部金型５を第１圧接面２ｂ及び第２圧接面５ｂを上下方向に相対させて配置したインサート成形用金型１、及び第１圧接面２ｂ及び第２圧接面５ｂが相対する方向に上部金型５を下部金型２に向けて移動させる金型移動手段（図示せず）を有するターミナル塑性加工／成形本体部３１と、インサート成形用金型１のキャビティ内に本体成形材料としての樹脂を供給する充填部３２と、ターミナル２５が連設形成された加工金属板部１２を、パイロット穴１１を利用してターミナル塑性加工／成形本体部３１に間欠的に順送り可能に構成された加工板搬送手段（図示せず）と、加工板搬送手段、金型移動手段を制御する駆動制御部（図示せず）と、などを主要構成に有している。なお、金型移動手段は、例えば、モータ（図示せず）の回転力をモータの軸方向に変換した出力を、上部金型５を下部金型２に向かって移動させる駆動力に利用するなどすれば簡単に構成可能である。
【００３７】
充填部３２は、周知であるので詳細には図示しないが、樹脂を溶融射出する加熱シリンダ、加熱シリンダに供給する樹脂を貯蔵するホッパー、及び加熱シリンダとキャビティと下部金型２の外部とを連通する充填用穴２ｄとを接続し、加熱シリンダで溶融した樹脂をキャビティに導く湯道などを有する。なお、駆動制御部が、充填部３２からの樹脂の供給を制御可能になっている。
【００３８】
次いで、インサート成形システム３０による複合品の製造方法について説明する。
なお、充填部３２からは樹脂の供給が停止されている状態を初期状態とする。また、加工金属板部１２は、ターミナル２５の厚み方向を鉛直方向に一致させて、加工板搬送手段によって搬送される。
【００３９】
駆動制御部は、加工金属板部１２を搬送方向の先頭から２つのターミナル２５の幅中心が２つのインサートパーツ挿入溝２ａの幅中心に相対する位置まで搬送させた後、加工金属板部１２の搬送を一時停止する。言い換えれば、ターミナル２５を、インサートパーツ挿入穴７を構成する下部金型２及び上部金型５の壁面間に配置する。
【００４０】
次いで、例えば、作業員が、図４に示されるように、ターミナル２５をインサートパーツ挿入溝２ａ内に配置する。このとき、インサートパーツ挿入溝２ａの深さは、ターミナル２５の厚さより数％〜数十％程度浅く形成され、インサートパーツ挿入溝２ａの幅はターミナル２５の幅より数％〜数十％程度広く形成されている。これにより、ターミナル２５の上面は、図５に示されるように、インサートパーツ挿入溝２ａの開口より上方に突出し、ターミナル２５の幅方向の両側には隙間が形成される。また、ターミナル２５の幅に対して、インサートパーツ挿入溝２ａの幅が広いので、インサートパーツ挿入溝２ａ内にターミナル２５に配置させる動作はスムーズに行われる。
【００４１】
次いで、駆動制御部は、上部金型５を下部金型２に向かって移動させる。そして、上部金型５の第２圧接面５ｂにターミナル２５の上面が当接すると、ターミナル２５はインサートパーツ挿入溝２ａの底部と第２圧接面５ｂとの間に挟まれ、上部金型５の下降に伴って、厚み方向に圧力を受ける。
さらに、上部金型５が下降すると、図６に示されるように、ターミナル２５はその幅方向に伸びるように塑性変形され、インサートパーツ挿入溝２ａの側壁に当接する。さらに、上部金型５が下降するのに伴い、ターミナル２５は、インサートパーツ挿入溝２ａの内壁に沿って伸びるように塑性変形する。そして、上部金型５が下部金型２に押しあてられると、図７に示されるように、ターミナル２５は、インサートパーツ挿入溝２ａと第２圧接面５ｂとで構成されるインサートパーツ挿入穴７の形状に略合致する形状に塑性変形されて、インサートパーツ挿入穴７の壁面に接するようにインサートパーツ挿入穴７に収納される。
【００４２】
この状態で、駆動制御部は、充填部３２を制御して樹脂をインサート成形用金型１のキャビティ内に流しこんで充填する。その後、樹脂が固化されるまで待機する。そして、駆動制御部は下部金型２及び上部金型５を相反する方向に移動させることで、図８に示されるように、ターミナル２５が樹脂で構成される樹脂本体部２６に一体化された複合品４０が形成される。次いで、複合品４０を下部金型２及び上部金型５との間から搬送させた後、複合品４０の搬送を停止する。このとき、加工金属板部１２が、複合品の搬送に連動して搬送されるが、加工金属板部１２の先頭側２つのターミナル２５が２つのインサートパーツ挿入溝２ａに対応する位置に配置されるように、搬送幅を設定している。以下、上記と同様にして複合品４０を順次製造することができる。
【００４３】
このように形成された複合品４０のターミナル２５は、ころがりのない所望の形状となっている。従って、例えば、パイロット穴１１側の加工金属板部１２の部位を切り離し、図８の状態から図９に示されるようにターミナル２５を垂直に曲げる曲げ加工を行う場合、曲げ加工される部位から樹脂本体部に至る平坦な一面２８（基準面２８）を押さえ、基準面２８に対して垂直に力を加えることにより、ターミナル２５は、基準面２８に対して傾くことなく垂直に折り曲げられる。
【００４４】
この実施の形態のインサート成形用金型１は、下部金型２及び上部金型５により構成され、下部金型２及び上部金型５の型締めにより、本体成形材料が充填されるキャビティ、及びキャビティと外部とを連通し、ターミナル２５が挿入されるインサートパーツ挿入穴７が形成されるようになっている。そして、下部金型２及び上部金型５は、インサート成形時、インサートパーツ挿入穴７に挿入されたターミナル２５を、型締め動作によってインサートパーツ挿入穴７の内形形状に合致する形状に塑性変形させるように構成されている。
【００４５】
従って、下部金型２及び上部金型５の型締め動作と同時にころがりを解消することができるので、インサートパーツ挿入穴７の形状を、ターミナル２５が実際に使用されるときに望まれる所定の形状に一致する形状に予め設定しておくことで、インサート成形工程前に、ターミナルの削り加工や塑性変形加工などのターミナル２５のころがりを解消する工程を省略できる。これにより、ターミナル２５をインサートパーツとする複合品４０の製造コストを削減できる。
さらに、インサート成形前の塑性変形加工を省くことによって以下の効果も得られる。
従来のようにインサート成形前に塑性変形加工を行う場合、ごく小さい寸法精度の塑性変形量を管理しなければならならず、場合によっては、所望とするターミナルの幅より広く塑性変形してしまい、金型に設けられたインサートパーツ挿入溝への挿入性が悪化する恐れもある。
インサート成形用金型１を用いることで、インサートパーツ挿入溝２ａへの挿入性の悪化を考慮しつつ塑性変形量の寸法管理を行う必要がなくなる。
【００４６】
また、例えば、複合品４０がオス形コネクタであり、ターミナル２５がコネクタ端子に用いられる場合、対応するメス形コネクタの孔へのターミナルの挿入性を向上できる。
【００４７】
また、ころがりを解消してからインサート成形用金型１内に樹脂を充填するので、樹脂のキャビティへの充填時に樹脂がインサート成形用金型１から漏れ出すことが防止できる。
【００４８】
また、複合品のターミナル２５を曲げ加工する場合、ターミナル２５の外面は、所望の通りの平坦面に塑性変形されているので、ターミナル２５の外面のいずれか一面を基準面にして、当該基準面を押さえながらターミナル２５を曲げ加工したときに、所望の形状にターミナル２５を曲げることができる。
【００４９】
また、インサート成形用金型１を用いたインサート成形による複合品４０の製造方法によれば、型締めを実施する前に、インサートパーツ挿入穴７を形成する下部金型２及び上部金型５の型締め方向に相対する壁面間にターミナル２５を配置する工程と、型締めを実施して、ターミナル２５をインサートパーツ挿入穴７の内形形状に合致するように塑性変形させる工程と、を備えている。この複合品４０の製造方法によれば、型締め動作と同時にターミナル２５のころがりが解消できるので、上記したインサート成形用金型１による効果と同様の効果を得ることができる。
【００５０】
なお、上記実施の形態では、インサートパーツは、矩形断面形状のターミナル２５であり、インサート成形用金型１は、ターミナル２５の断面形状に応じたインサートパーツ挿入穴７を下部金型２及び上部金型５の型締めにより形成するものとした。しかしながら、インサートパーツ及びインサートパーツ挿入穴７は上記のものに限定されず、インサートパーツは矩形形状以外の断面形状を有するものなどでもよい。この場合、下部金型及び上部金型の型締めにより形成されるインサートパーツ挿入穴が、所望するインサートパーツの断面形状に一致するように、下部金型２及び上部金型５を構成すればよい。
【００５１】
また、下部金型２に形成する第１樹脂充填凹部２ｃとインサートパーツ挿入溝２ａの数、及び上部金型５に形成する第２樹脂充填凹部５ａの数は、２つずつであり、下部金型２及び上部金型５を型締めしたときに、下部金型２と上部金型５とでキャビティ（図示せず）及びインサートパーツ挿入穴７が２つずつ構成されるものとして説明した。しかし、下部金型２に形成する第１樹脂充填凹部２ｃとインサートパーツ挿入溝２ａの数、及び上部金型５に形成する第２樹脂充填凹部５ａの数は、２つずつに限定されず、下部金型２及び上部金型５を型締めしたときに、下部金型２と上部金型５とで構成されるキャビティ（図示せず）及びインサートパーツ挿入穴７の必要な数に応じて適宜設定すればよい。
【００５２】
また、インサート成形用金型１は、第１分割金型としての下部金型２、及び第２分割金型としての上部金型５からなる２つの分割金型により構成するものとして説明したが、２以外の複数の分割金型によりインサート成形用金型を構成してもよい。
【００５３】
また、順送りプレス加工を片面打ち抜きで行ってターミナル２５を製造する場合にターミナル２５のころがりが発生するものとして説明したが、順送りプレス加工を両面打ち抜きで行ってターミナルを製造する場合でも、ターミナルの幅が短いときなどは、製造したターミナルにころがりが発生する。
【符号の説明】
【００５４】
１  インサート成形用金型、２  下部金型（分割金型）、５  上部金型（分割金型）、７  インサートパーツ挿入穴、２５  ターミナル（インサートパーツ）。
【図１】
2011020295.tif 000003
【図２】
2011020295.tif 000004
【図３】
2011020295.tif 000005
【図４】
2011020295.tif 000006
【図５】
2011020295.tif 000007
【図６】
2011020295.tif 000008
【図７】
2011020295.tif 000009
【図８】
2011020295.tif 000010
【図９】
2011020295.tif 000011
【図１０】
2011020295.tif 000012
【図１１】
2011020295.tif 000013
【図１２】
2011020295.tif 000014
【図１３】
2011020295.tif 000015